(57)【要約】      （修正有）【課題】被保持物を安定して保持することができるとともに、他の部材との干渉を抑制することができる保持装置を提供する。【解決手段】チルト部１２が、突没スライド方向に沿って倒れた際に、挟持方向と突没スライド方向とが直交し、装置本体２０に収納されることから、スマートフォン５を安定して保持するために、挟持部の延在方向寸法を大きくしたり、複数箇所で当接するようにそれぞれ並設したりしても、延在方向又は並設方向が突没スライド方向と一致し、挟持部が他の部材（パネル部）と干渉することを抑制することができる。【選択図】図４
2018202975.tif 000002
【特許請求の範囲】
【請求項１】
被保持物を保持する保持機構と、該保持機構を取付対象に取り付ける装置本体と、を備えた保持装置であって、
保持機構は、前記装置本体に突没スライド自在に支持されるスライド部と、起立角度を変更可能に前記スライド部に支持されるチルト部と、を備え、
前記チルト部は、互いに近づくように付勢されて前記被保持物を挟持する一対の挟持部を有し、突没スライド方向に沿って倒れた際に、挟持方向と突没スライド方向とが直交し、前記装置本体に収納されることを特徴とする保持装置。
【請求項２】
前記チルト部は、前記一対の挟持部を有する保持部と、該保持部を回動自在に支持する基部と、を備え、保持した前記被保持物の向きを変更可能に構成されていることを特徴とする請求項１に記載の保持装置。
【請求項３】
前記一対の挟持部のうち少なくとも一方は、前記被保持物の端縁に沿ってスライド自在に設けられた複数の当接部を有することを特徴とする請求項１又は２に記載の保持装置。
【請求項４】
前記保持機構は、前記被保持物として携帯機器を保持することを特徴とする請求項１〜３のいずれか１項に記載の保持装置。
【請求項５】
車両のインストルメントパネルに設けられることを特徴とする請求項１〜４のいずれか１項に記載の保持装置。
【発明の詳細な説明】
【技術分野】
【０００１】
本発明は、保持装置に関する。
【背景技術】
【０００２】
従来、被保持物を保持する保持装置として、車両にスマートフォン等の携帯機器を設置するための携帯機器ホルダが提案されている（例えば、特許文献１参照）。特許文献１に記載された従来の携帯機器ホルダは、ダッシュボードに装着される取付部と、取付部から延びるアーム部と、アーム部の先端に設けられて携帯機器を保持する保持部と、を備え、保持部が回動することにより、携帯機器の向きが変更可能となっている。
【先行技術文献】
【特許文献】
【０００３】
【特許文献１】特開２０１３−２５６２４０号公報
【発明の概要】
【発明が解決しようとする課題】
【０００４】
しかしながら、特許文献１に記載の携帯機器ホルダは、常に露出しており、携帯機器を保持しない場合であっても収納することができない。従って、取付対象（車室空間）の外観を悪化させてしまうことがあった。そこで、携帯機器を保持しない場合に、携帯機器ホルダを筐体等に収納する構成が考えられる。
【０００５】
ところで、特許文献１に記載の携帯機器ホルダにおいて、一対の挟持アームを有する保持部によって携帯機器を安定して保持するためには、挟持アームと携帯機器の端縁との接触面積を増加させたり、挟持アームを携帯機器の端縁に複数箇所で当接させたりすることが好ましい。このとき、挟持アームが大型化しやすく、上記のように携帯機器ホルダを筐体等に収納する際に、他の部材と干渉しやすい。このように、被保持物を保持する保持装置において、安定して保持しつつ、他の部材との干渉を抑制することが望まれていた。
【０００６】
したがって、本発明の課題は、被保持物を安定して保持することができるとともに、他の部材との干渉を抑制することができる保持装置を提供することが一例として挙げられる。
【課題を解決するための手段】
【０００７】
前述した課題を解決し目的を達成するために、請求項１に記載の本発明の保持装置は、被保持物を保持する保持機構と、該保持機構を取付対象に取り付ける装置本体と、を備えた保持装置であって、保持機構は、前記装置本体に突没スライド自在に支持されるスライド部と、起立角度を変更可能に前記スライド部に支持されるチルト部と、を備え、前記チルト部は、互いに近づくように付勢されて前記被保持物を挟持する一対の挟持部を有し、突没スライド方向に沿って倒れた際に、挟持方向と突没スライド方向とが直交し、前記装置本体に収納されることを特徴としている。
【図面の簡単な説明】
【０００８】
【図１】本発明の実施例に係る保持装置を示す正面図である。
【図２】前記保持装置に被保持物を保持させた様子を示す斜視図である。
【図３】前記保持装置を示す分解斜視図である。
【図４】前記保持装置の動作を示す斜視図である。
【図５】前記保持装置の保持機構を示す正面図である。
【図６】前記保持機構の保持部を回動させた様子を示す正面図である。
【発明を実施するための形態】
【０００９】
以下、本発明の実施形態を説明する。本発明の実施形態に係る保持装置は、被保持物を保持する保持機構と、保持機構を取付対象に取り付ける装置本体と、を備えた保持装置である。保持機構は、装置本体に突没スライド自在に支持されるスライド部と、起立角度を変更可能にスライド部に支持されるチルト部と、を備える。チルト部は、互いに近づくように付勢されて被保持物を挟持する一対の挟持部を有し、突没スライド方向に沿って倒れた際に、挟持方向と突没スライド方向とが直交し、装置本体に収納される。
【００１０】
チルト部が、突没スライド方向に沿って倒れた際に、挟持方向と突没スライド方向とが直交し、装置本体に収納されることから、一対の挟持部のそれぞれを、被保持物の端縁に沿うように延在させたり、複数箇所で当接するように複数を並設したりした場合に、延在方向又は並設方向が突没スライド方向と一致する。従って、被保持物を安定して保持するために、挟持部の延在方向寸法を大きくしたり、複数箇所で当接するように並設したりしても、挟持部が他の部材と干渉することを抑制することができる。
【００１１】
また、一対の挟持部が上記のように配置されていることから、起こした直後のチルト部において、一対の挟持部が水平方向に対向する（即ち、被保持物を水平方向から挟持する状態となる）。被保持物が長方形状に形成されて画面（表示面）を有する場合、長辺を挟持する（即ち短辺方向と挟持方向とを一致させる）と保持しやすく、水平方向から挟持することにより画面が縦向きとなる。長方形状の画面には縦長の画像が表示されることがあり、起こした直後のチルト部において一対の挟持部が水平方向に対向することで、縦長の画像を表示させる場合に被保持物を回動させる必要がなく、利便性を向上させることができる。
【００１２】
チルト部は、一対の挟持部を有する保持部と、保持部を回動自在に支持する基部と、を備え、保持した被保持物の向きを変更可能に構成されていることが好ましい。それにより、チルト部を起立させた後、一対の挟持部が適宜な方向（例えば上下方向）に対向するように保持部を回動させ、被保持物を挟持させることができる。また、挟持後に被保持物が適宜な向きとなるように保持部を回動させることができる。
【００１３】
一対の挟持部のうち少なくとも一方は、被保持物の端縁に沿ってスライド自在に設けられた複数の当接部を有することが好ましい。それにより、被保持物の寸法に応じて当接部をスライドさせることにより、被保持物を安定して挟持させることができる。
【００１４】
保持機構は、被保持物として携帯機器を保持してもよいし、保持装置は、車両のインストルメントパネルに設けられてもよい。尚、ここにいう携帯機器とは、使用者によって携帯される電子機器であって、スマートフォンやタブレット端末やゲーム機器等が一例として挙げられる。
【実施例】
【００１５】
以下、本発明の実施例について図を参照して具体的に説明する。本実施例の保持装置は、車載機器であって、車両の運転席におけるインストルメントパネルに搭載されて使用される。また、本実施例の保持装置は、保持対象の被保持物として、携帯機器の一例であるスマートフォンを保持する。
【００１６】
本実施例の保持装置１は、図１〜３に示すように、スマートフォン５の保持機構１０と、インストルメントパネルに搭載される矩形箱状の装置本体２０と、を備えている。
【００１７】
保持機構１０は、装置本体２０に突没自在に保持される。また、保持機構１０は、装置本体２０に、突没スライド自在に支持されるスライド部１１と、このスライド部１１に軸支されてスマートフォン５を保持するチルト部１２と、を備えている。保持機構１０は、スマートフォン５を保持させる際には、装置本体２０から図３に示されている突没方向Ｄ１１における突出方向Ｄ１１１にスライド部１１が引き出され、チルト部１２が図２示されている回動方向Ｄ１２における起立方向Ｄ１２１に立てられる。チルト部１２は、後述するように基部３及び保持部４を有しており、保持部４の起立角度を変更可能なようにスライド部１１に支持されている。そして、この立てられたチルト部１２にスマートフォン５を保持させるように構成されている。
【００１８】
装置本体２０は、矩形箱状の装置本体２０における上壁と一対の側壁とをなす上シャーシ２１と、下壁をなす下シャーシ２２と、を備えている。上述の保持機構１０のスライド部１１は、上シャーシ２１の上壁に突没スライド自在に支持されている。下シャーシ２２には、矩形箱状の装置本体２０における背面側の一端辺に、この装置本体２０における背面壁をなす長方形状の背面基板２２１が立設されている。この背面基板２２１には、外部機器との各種接続コネクタや、スマートフォン５との間で、例えばブルートゥース（登録商標）規格等に則った短距離通信を行うためのアンテナ等が搭載されている。また、下シャーシ２２の内面には、背面基板２２１と電気的に接続された内面基板２２２が取り付けられている。
【００１９】
また、装置本体２０は、装置本体２０における正面壁をなして使用者インタフェースの役割を担う長方形板状の着脱可能なフロントパネル部２３と、このフロントパネル部２３を着脱自在、かつ、回動自在に保持するパネル部２４と、を備えている。パネル部２４は、上シャーシ２１及び下シャーシ２２に固定される。このパネル部２４は、上シャーシ２１に支持される保持機構１０と干渉しないように切欠きが設けられた形状に形成されている。フロントパネル部２３の長手方向の両端には、回動軸をなす一対の軸突起２３１が設けられ、これら一対の軸突起２３１が、パネル部２４における一対の保持アーム２４１に、着脱自在かつ回動自在に保持される。
【００２０】
本実施例の保持装置１では、上シャーシ２１に支持される保持機構１０と、パネル部２４と、のそれぞれが、下シャーシ２２の内面基板２２２に、ケーブル２２３で電気的に接続されている。本実施例では、図２に示されているように保持されたスマートフォン５に対するタッチ操作や、フロントパネル部２３に対するボタン操作により、例えばスマートフォン５の画面上への地図情報の表示や、車載オーディオ機器からの音楽の再生等を行うことができる。また、保持したスマートフォン５に対する充電を、保持機構１０と内面基板２２２とを繋ぐケーブル２２３と、スマートフォン５から延伸して保持機構１０に接続した充電ケーブルと、を介して行うこともできる。
【００２１】
以上に説明した保持装置１には、次のような手順によってスマートフォン５を保持させる。
【００２２】
図４は、図１〜図３に示されている保持装置にスマートフォンを保持させるための一例の手順を示す模式図である。尚、この図４では、図を見易くするために、装置本体２０については、上シャーシ２１のみが示されている。以下に説明する手順は、使用者の手作業によって行われる。
【００２３】
まず、ステップＳ１１及びステップＳ１２において、装置本体２０から突出方向Ｄ１１１に保持機構１０が引き出される。このとき、本実施例では、フロントパネル部２３は、保持機構１０の動きの邪魔とならないように、図３に示されている軸突起２３１を回動中心として回動されて前方に倒されるか、パネル部２４から取り外される。またこのとき、保持機構１０において、後述する保持爪４２１、４３１が引き出し方向との直交方向（左右方向、車幅方向）に対向して（即ち並んで）いる。即ち、保持機構１０の挟持方向と、スライド部１１の突没スライド方向と、が直交した状態で保持機構１０が装置本体２０に収納されるようになっている。
【００２４】
続くステップＳ１３では、保持機構１０において、チルト部１２がスライド部１１に対して起立方向Ｄ１２１に立てられる。このとき、チルト部１２は、スライド部１１に軸支された基部３と、基部３によって回動自在に支持される保持部４と、を備え、保持部４において、計３本の保持爪４２１、４３１によってチャッキング機構４６が構成されている。本実施例では、このステップＳ１３でチルト部１２が立てられた状態では、チャッキング機構４６は、１本の保持爪４３１が右側に位置し、２本の保持爪４２１が左側に位置する姿勢となっている。また、チャッキング機構４６では、右側となる１本の保持爪４３１が、左側となる２本の保持爪４２１に向かってバネ付勢されている。
【００２５】
ここで、本実施例では、チルト部１２において、チャッキング機構４６を有する保持部４が、スマートフォン５の画面の面直方向に沿った回動軸Ｏ１を中心とした回動方向Ｄ１４に回動自在に取り付けられている。ステップＳ１４では、チャッキング機構４６が、回動軸Ｏ１を中心として図中の反時計回りに９０°回動される。この回動により１本の保持爪４３１が上部側に位置し、２本の保持爪４２１が下部側に位置する姿勢となり、保持爪４２１、４３１同士が上下方向に対向した状態となる。
【００２６】
ステップＳ１５では、このチャッキング機構４６におけるバネ付勢に抗して上部側の保持爪４３１が引上げ方向Ｄ１３１に引き上げられる。
【００２７】
そして、ステップＳ１６において、上記のように引き上げられた上部側の保持爪４３１と、下部側の保持爪４２１と、の間に、スマートフォン５が横向き（その長手方向が水平方向を向いた状態）で配置される。使用者が上部側の保持爪４３１を離すと、上記のバネ付勢により上部側の保持爪４３１が下降方向Ｄ１３２に動く。これにより、上部側の保持爪４３１と、下部側の保持爪４２１と、でスマートフォン５が挟持される。
【００２８】
尚、スマートフォン５の挟持後、使用者が、このスマートフォン５を、縦向き（その長手方向が上下方向を向いた状態）にして表示画面を見たいと考えた場合、回動軸Ｏ１を中心としてスマートフォン５ごとチャッキング機構４６を図中の時計回りに９０°回動させることにより、スマートフォン５を縦向きとしてもよい。
【００２９】
また、本実施例では、使用者は、保持機構１０を引き出した後の任意のタイミングでフロントパネル部２３を戻す。その結果、スマートフォン５の保持を行なった後の外観が、例えば図２示されているような外観となる。スマートフォン５が外されて保持機構１０が装置本体２０に収納される際には、図４に示されている手順とは逆の手順によって、保持機構１０の収納が行われる。
【００３０】
ここで、保持部４の詳細な形状について説明する。以下では、車両の前後方向（進行方向）をＸ方向とし、車幅方向（左右方向）をＹ方向とし、上下方向をＺ方向とし、保持装置１は、スマートフォン５をＸ方向後方側に向けて（即ち画面がＹＺ平面に沿うように）保持するものとする。また、長方形状のスマートフォン５の短辺方向を幅方向とする。
【００３１】
保持部４は、図５に示すように、スマートフォン５の背面に位置してＹＺ平面に沿って延びる矩形板状の保持板部４１と、保持板部４１の一辺に配置された固定挟持部４２と、保持板部４１の背面に重ねられるとともに保持爪４３１を有する移動挟持部４３と、移動挟持部４３を固定挟持部４２に近づけるように付勢する付勢手段と、を有する。尚、図５は、保持爪４２１、４３１がＺ方向に対向してスマートフォン５を保持していない状態（上記のステップＳ１４の状態）を示しており、各部の寸法および位置関係については、特に説明がない限りこの状態を基準とする。
【００３２】
固定挟持部４２は、２つの保持爪４２１によって構成されている。２つの保持爪４２１は、保持板部４１の外縁に沿って並ぶとともにスライド自在に設けられており、スマートフォン５の端縁に沿ってスライドする当接部として機能する。また、２つの保持爪４２１は、それぞれ範囲Ａ１、Ａ２においてスライド自在となっており、最接近状態において互いに所定の間隔をあけるとともに、最離隔状態において、保持板部４１の隅部に位置する。また、固定挟持部４２は、図５に示す状態において、基部３の下端３１と略同一高さ（同程度の高さ又はやや上方）に配置されている。
【００３３】
保持部４が基部３によって軸支される回動軸（回動中心）Ｏ１は、矩形板状の基部３のＹ方向中央部に配置されている。また、回動軸Ｏ１は、挟持部４２、４３による挟持方向（Ｚ方向）において、固定挟持部４２よりも移動挟持部４３の近くに配置されている。また、回動軸Ｏ１は、挟持方向との直交方向（Ｙ方向）において、保持板部４１の中央部に配置される。ここで、上記の直交方向における保持板部４１の寸法の半分（即ち、回動軸Ｏ１からＹ方向における保持板部４１の端縁４１１までの距離）をＬ１とし、Ｚ方向における回動軸Ｏ１から固定挟持部４２までの距離をＬ２とする。本実施例では、距離Ｌ２が距離Ｌ１よりも長い。また、距離Ｌ２は、所定寸法（例えば５インチ）のスマートフォン５の幅の略半分であるとともに、基部３のＹ方向寸法の略半分である。即ち、基部３のＹ方向寸法は、所定寸法のスマートフォン５の幅と略等しい。
【００３４】
このような保持部４によって所定寸法のスマートフォン５を挟持するために移動挟持部４３が移動すると、固定挟持部４２と移動挟持部４３との中間に回動軸Ｏ１が位置し、スマートフォン５の幅方向中央部と、回動軸Ｏ１と、が略一致する。
【００３５】
ここで、図５に示す状態から、保持部４を略９０°回動させた様子（上記のステップＳ１３の状態）を図６に示す。このとき、固定挟持部４２は、基部３のＹ方向一方側の端縁３２に重なる。さらに、距離Ｌ２が距離Ｌ１よりも長いことから、回動後の保持板部４１の端縁４１１は、回動前の固定挟持部４２よりもＺ方向において上方に位置する。
【００３６】
図６に示す状態において、距離Ｌ２がスマートフォン５の幅の略半分であり、回動軸Ｏ１がＹ方向において基部３の中央部に配置され、固定挟持部４２が基部３の端縁３２に重なっていることから、所定寸法のスマートフォン５を挟持した際、移動挟持部４３が他方側の端縁３３に重なり、スマートフォン５及び基部３のＹ方向中央部同士が略一致する。また、所定寸法のスマートフォン５及び基部３のＹ方向両側の端縁同士が揃う。
【００３７】
上記の構成により、チルト部１２が、突没スライド方向に沿って倒れた際に、挟持方向と突没スライド方向とが直交し、装置本体２０に収納されることから、スマートフォン５を安定して保持するために、挟持部４２、４３の延在方向寸法を大きくしたり、複数箇所で当接するようにそれぞれ並設したりしても、延在方向又は並設方向が突没スライド方向と一致し、挟持部４２、４３が他の部材（パネル部２４）と干渉することを抑制することができる。また、起こした直後のチルト部１２において、一対の挟持部４２、４３が水平方向に対向する。これにより、スマートフォン５に縦長の画像を表示させる場合に利便性を向上させることができる。
【００３８】
保持部４が基部３によって回動自在に支持されていることで、チルト部１２を起立させた後、一対の挟持部４２、４３が適宜な方向に対向するように保持部４を回動させ、スマートフォン５を挟持させることができる。また、挟持後にスマートフォン５が適宜な向きとなるように保持部４を回動させることができる。
【００３９】
さらに、固定挟持部４２が、スマートフォン５の端縁に沿ってスライド自在に設けられた２つの保持爪４２１によって構成されていることで、スマートフォン５の寸法に応じて保持爪４２１をスライドさせることにより、スマートフォン５を安定して挟持させることができる。さらに、２つの保持爪４２１のそれぞれがスライド移動により位置調整可能であることから、スマートフォン５の側面に存在する音量ボタンや電源ボタン等の操作ボタンや、側面に接続する充電コネクタなどを避けるように２つの保持爪４２１を移動させ、スマートフォン５を挟持することができる。
【００４０】
なお、本発明は、前記実施例に限定されるものではなく、本発明の目的が達成できる他の構成等を含み、以下に示すような変形等も本発明に含まれる。
【００４１】
例えば、前記実施例では、チルト部１２が基部３と保持部４とを有して保持したスマートフォン５の向きを変更可能に構成されているものとしたが、チルト部が回動機構を有しておらず、スマートフォン５が一定の向きで使用される構成としてもよい。
【００４２】
また、前記実施例では、固定挟持部４２がスライド自在な２つの保持爪４２１によって構成されるものとしたが、移動挟持部がスライド可能な複数の保持爪を有していてもよい。また、例えば保持爪の幅（スマートフォン５の端縁に沿った寸法）が充分に大きい場合や、充分な数の保持爪が設けられている場合等、様々な寸法のスマートフォンを保持可能に構成されている場合、保持爪はスライド不能であってもよい。
【００４３】
また、前記実施例では、チルト部１２が上方に向かうように起立角度を変更してスマートフォン５を保持するものとしたが、チルト部は、下方に向かうように起立角度を変更して被保持物を保持してもよい。
【００４４】
また、前記実施例では、保持装置１がスマートフォンを保持するものとしたが、保持対象である被保持物は、スマートフォン等の通信機器に限定されず、例えば通信機能を有しておらず単に記録媒体に記憶された映像等を再生する再生機器であってもよいし、画面を有していないものであってもよい。また、被保持物が携帯機器である場合、その携帯機器は、本実施例のようにスマートフォンに限るものでもなく、例えばタブレット端末やゲーム機器等であってもよい。
【００４５】
また、前記実施例では、保持装置が車両のインストルメントパネルに設けられるものとしたが、保持装置は、船舶や航空機等、車両以外の移動体に設けられてもよいし、建物内の壁や家具等に設けられてもよい。
【００４６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４７】
１          保持装置
１０        保持機構
１１        スライド部
１２        チルト部
２０        装置本体
３          基部
４          保持部
４２        固定挟持部
４３        移動挟持部
５          スマートフォン（被保持物）
【図１】
2018202975.tif 000003
【図２】
2018202975.tif 000004
【図３】
2018202975.tif 000005
【図４】
2018202975.tif 000006
【図５】
2018202975.tif 000007
【図６】
2018202975.tif 000008